(57)【要約】      （修正有）【課題】  占有スペースが最低限になる状態でケース内に収容され得、且つ高感度な電波の受信が可能になるアンテナ構造体、及びこれを備えた電波時計、並びにアンテナ構造体の製造方法を提供すること。【解決手段】  電波時計のアンテナ構造体は円弧状に湾曲した軟磁性磁芯部材４５とこの磁芯部材の延在方向の中央部に巻回されたコイル５０とを備え、ケース１０内に収容される。このアンテナ構造体では、磁芯部材４５が、コイル５０から露出した端部のうちの少なくとも一方において、先端に近付く程内周側に位置するように非円弧状に延びる外周面５２，５４を有する。円弧状湾曲磁芯部材４５は、複数の軟磁性薄片４３，４４を積層してなり、内周側の軟磁性薄片４３が外周側の軟磁性薄片４４よりも周方向長さが長い。各軟磁性薄片４３，４４は、複数枚の軟磁性箔体４１，４２を積層してなる。【選択図】  図２
2006214770.tif 000002
【特許請求の範囲】
【請求項１】
円弧状に湾曲した軟磁性磁芯部材と該磁芯部材の延在方向の中央部に巻回されたコイルとを備え、ケースに収容されるアンテナ構造体であって、
前記磁芯部材が、前記コイルから露出した端部のうちの少なくとも一方において、先端に近付く程内周側に位置するように非円弧状に延びる外周面を有するアンテナ構造体。
【請求項２】
円弧状湾曲磁芯部材が複数の軟磁性薄片を積層してなり、内周側の軟磁性薄片が外周側の軟磁性薄片よりも周方向長さが長い請求項１に記載のアンテナ構造体。
【請求項３】
各軟磁性薄片が、複数の軟磁性箔を積層してなる請求項２に記載のアンテナ構造体。
【請求項４】
前記軟磁性部材が、アモルファス軟磁性材である請求項１から３までのいずれか一つの項に記載のアンテナ構造体。
【請求項５】
電波時計用のアンテナである請求項１から４までのいずれか一つの項に記載のアンテナ構造体。
【請求項６】
請求項４に記載のアンテナ構造体を備えた電波時計。
【請求項７】
長さの異なる軟磁性薄片を重ねて積層体を形成し、
該積層体の長さ方向中央部にワイヤを巻回してコイルを形成し、
長さの短い薄片が外周側になるように、積層体を円弧状に湾曲させ、
湾曲積層体を焼鈍する
ことからなるアンテナ構造体の製造方法。
【請求項８】
前記積層体を電気絶縁性チューブに封入した後、ワイヤの巻回を行う請求項７に記載の方法。
【請求項９】
前記積層体に電気絶縁性接着材を塗布した後、ワイヤの巻回を行う請求項７に記載の方法。
【発明の詳細な説明】
【技術分野】
【０００１】
本発明は、電波時計用のアンテナとして用いられるに適したアンテナ構造体及びこれを備えた電波時計、並びにアンテナ構造体の製造方法に係る。
【背景技術】
【０００２】
アモルファス軟磁性材からなる同一形状及び同一サイズの箔体を複数枚積層して積層体を形成し、該積層体を電気絶縁性フィルムで被覆した上に、ワイヤを巻回してコイルを形成することにより電波時計用のアンテナ構造体を製造することは、提案されている（特許文献１）。
【０００３】
しかしながら、全体として直線的で棒状のこのアンテナ構造体を、典型的には円形の時計ケース内に収容しようとすると、効率的に収容され難い。
【０００４】
なお、このようなアンテナ構造体を円弧状に形成することも提案されている。
【０００５】
しかしながら、この提案のアンテナ構造体の場合にも、円弧状アンテナを円形のケース内周面に近接させて配置すると、検出用磁束が出入りするアンテナの端部ないし耳部が、コイルの巻回されたアンテナの中央部と同様にケースに近接して位置する結果、電波の効果的受信がケースにより妨げられる虞れがある。なお、直線状アンテナ構造体をケース内に収容しようとすると、この問題はより顕著になる。
【特許文献１】特開２００３−１１０３４１号公報
【発明の開示】
【発明が解決しようとする課題】
【０００６】
本発明は、前記諸点に鑑みなされたものであって、占有スペースが最低限になる状態でケース内に収容され、且つ高感度な電波の受信が可能になるアンテナ構造体、及びこれを備えた電波時計、並びにアンテナ構造体の製造方法を提供することにある。
【課題を解決するための手段】
【０００７】
本発明のアンテナ構造体は、前記目的を達成すべく、円弧状に湾曲した軟磁性磁芯部材と該磁芯部材の延在方向の中央部に巻回されたコイルとを備え、ケースに収容されるアンテナ構造体であって、前記磁芯部材が、コイルから露出した端部のうちの少なくとも一方において、先端に近付く程内周側に位置するように非円弧状に延びる外周面を有する。
【０００８】
本発明のアンテナ構造体では、「磁芯部材が、アンテナの耳部となるコイルから露出した端部のうちの少なくとも一方において、先端に近付く程内周側に位置するように非円弧状に延びる外周面を有する」ので、露出端部（アンテナの耳部）の該外周面が先端に近付く程ケースの内周面から離れて位置し得るから、該外周面において磁芯部材に出入りする磁束がケースの存在によって乱される虞れが少ない。従って、露出端部（アンテナ耳部）を長くして表面積を大きくすることが可能になり、アンテナの受信感度を最大限に高めることが可能になる。
【０００９】
なお、このアンテナ構造体では、コイルが巻かれる中央部は、露出端部（耳部）よりも横断面の面積が大きいので、コイルが巻かれた中央部は最大限の磁束を通し得る状態に保たれ得るから、アンテナの感度ないしアンテナ特性が高く保たれ得る。
【００１０】
また、本発明のアンテナ構造体では、「磁芯部材が、コイルから露出した端部（アンテナの耳部）のうちの少なくとも一方において、先端に近付く程内周側に位置するように非円弧状に延びる外周面を有する」ので、該外周面が円弧から後退することによりケース内壁と該外周面との間に形成される領域が、アンテナ構造体の固定用部材（例えば、ねじ等）の配備に利用され得るから、アンテナ構造体の固定なども容易になり、アンテナ構造体を含む関連部品の平面的なレイアウトの自由度が増す。
【００１１】
ここで、ケースの内周面の平面形状は典型的には、真円であるけれども、場合によっては、長円ないし楕円等他の閉曲線状でもよく、また、例えば、四角の角部が滑らかに湾曲したような形状でもよい。軟磁性磁芯部材について、「円弧状」とは、ケースの内周面からの距離が実質的に一定であるように、外周で対面するケース内周面と実質的に乃至ほぼ相似な形状を有することをいい、例えば、ケース内周面が、真円である場合には、真円の一部をなす円弧と実質的に相似で曲率半径の小さい円弧状であることをいい、ケース内周面が楕円状である場合には、該楕円の一部をなす円弧状部分と実際上相似の円弧状形状であることをいう。勿論、厳密には、相似形状でなくてもよい。更に、ケース内周面が、角部が滑らかに湾曲された四角形状である場合には、同様に、そのうちの対面する部分とほぼ相似の弧状であることをいう。
【００１２】
なお、「先端に近付く程内周側に位置するように非円弧状に延びる外周面を有する」のは、典型的には、磁芯部材のうちのコイルから露出した端部の両方であるけれども、所望ならば、一方のみであってもよい。
【００１３】
このような露出端部の外周面に関して、「先端に近付く程内周側に位置するように非円弧状に延びる」とは、連続的に滑らかに先細になるような形状であっても、段差状に先細になるような形状でもよい。以下に説明するように、軟磁性磁芯部材として、薄片の積層体等を用いる場合には、段差状に先細になる。
【００１４】
軟磁性磁芯部材は、一体成形などにより形成されたものであってもよいけれども、典型的には、典型的には、複数の軟磁性薄片を積層してなる積層体からなる。その場合、内周側の軟磁性薄片と比較して外周側の軟磁性薄片の周方向の長さを同一又はより短くすることによって、全体として、外周面が先端に近付く程内周側に位置するように段差状に先細になるような形状にする。このようにして、積層される各軟磁性薄片は、夫々が、軟磁性磁芯部材を構成する軟磁性磁芯部をなす。長さの異なる軟磁性薄片の数は、二枚以上であれば、三枚以上でも、より多くてもよい。ここで、薄片とは、磁芯部材を構成すべく複数枚重ねられるものであって、磁芯部材よりも薄いものであることを指し、それ自体比較的厚くてもよい。
【００１５】
薄片を積層して磁芯部材を形成する場合、積層方向に対して直角な軸の周りで円弧状に湾曲させ易くなり、且つ渦電流損を低減させ得る。
【００１６】
なお、軟磁性薄片は、それ自体一体的な軟磁性材料体であってもよいけれども、典型的には、軟磁性箔体を複数枚積層してなる。ここで、軟磁性箔体とは、円弧状に容易に湾曲され易いように薄片よりも薄いものであることをいう。換言すれば、薄片とは、箔体を複数枚重ねた厚さを有するものをいい、それ自体比較的薄くてもよい。
【００１７】
薄片を積層して磁芯部材を形成すると共に、箔体を積層して薄片を形成する場合、積層方向に対して直角な軸の周りで円弧状に湾曲させ易くなり、且つ渦電流損を低減させ得る。
【００１８】
軟磁性材料体としては、典型的には、軟磁性特性に優れ且つ（焼き固められたフェライト等と比較して）機械的強度の高いアモルファス材（例えば、ＭＥＴＧＬＡＳ（商品名）２７０５や同２７１４（商品名）等として知られるような軟磁性アモルファス材）からなるけれども、所望ならば、パーマロイその他の軟磁性合金であっても、他の種類の軟磁性材であってもよい。薄片を積層して磁芯部材を形成すると共に、箔体を積層して薄片を形成する場合、比較的硬い材料からなるときでも、内部歪を最低限にした状態で積層方向に対して直角な軸の周りで円弧状に湾曲させ易くなる。
【００１９】
なお、アンテナ構造体を製造する場合、すなわち、本発明の製造方法では、典型的には、長さの異なる薄片の積層体のうちの長手方向の中央部分（外周となる側で先細になった端部よりも中央側部分）に、ワイヤを巻回してコイルを形成し、長さの短い薄片が外周側になるように、積層体を円弧状に湾曲させ、湾曲積層体を焼鈍する。
【００２０】
ここで、湾曲した部分にワイヤをコイル状に巻回するのではなくて、コイルを形成した後に積層体を湾曲させるようにしているから、巻きムラの少ないコイルの巻回状態が実現され易い。また、湾曲させた後、焼鈍しているので、軟磁性材を薄片状（又は更に片状薄体）の形態に切断する際に生じた歪に伴う軟磁性特性の低下を回復させることが可能である。なお、湾曲の際に生じる歪みも同様に最低限に低減され得る。なお、焼鈍により、箔体等が脆くなっても、該箔体等は焼鈍の際に積層状態で一体化されるので、脆化による破損の虞れが最低限に抑えられ得る。
【００２１】
また、本発明のアンテナ構造体のアンテナ構造体の製造方法では、典型的には、積層体を電気絶縁性チューブに封入した後、又は積層体に電気絶縁性接着材を塗布した後に、ワイヤをコイル状に巻回する。なお、後者の場合には、典型的には、熱硬化性の接着材を塗布した後に、電気絶縁性フィルムで被覆する。熱硬化性の接着材は、コイル部分にも塗布されていてもよい。
【００２２】
その結果、本発明のアンテナ構造体のアンテナ構造体の製造方法では、焼鈍の際に、チューブの熱収縮や接着剤の硬化ないし固化による積層体やコイル等の固定ないし安定化を同時に実現し得る。
【００２３】
本発明のアンテナ構造体は、典型的には、時刻情報を含む標準電波を受信する受信アンテナとして用いられ、該アンテナ構造体を備えた時計は、該標準電波の時刻情報により時刻が修正される電波時計（電波修正時計）の形態を採る。
【００２４】
なお、アンテナ構造体は、受信アンテナの代わりに送信アンテナとして働くものでも、送受信兼用のアンテナとして働くものでもよい。
【発明を実施するための最良の形態】
【００２５】
本発明の好ましい一実施の形態を添付図面に示した好ましい実施例に基づいて説明する。
【実施例】
【００２６】
図１及び図２には、本発明の好ましい一実施例の電波時計１が示されている。図２において想像線で示したように、内周面１１が円形の平面形状を備えた非磁性金属材料からなるケース１０を有する。図１の（ｂ）に示したように、ケース１０のほぼ円筒状の開口部３は、ガラス４と反対側の樹脂製の裏ブタ５とで閉じられて、各種時計部品の収容室６になっている。７は巻真、８はリューズである。
【００２７】
図１に示したように、ケース１０の大径円筒状部１２と小径円筒状部１３との段差部１４には、非磁性金属材料からなる文字板１５及び樹脂製の地板１６が載置されて、ケース１０内の室６を、各種駆動部品が収容される室１７と、各種指針１８が収容される室１９とに画成している。地板１６は、例えば、ケース１０の室１７の内周面１７ａとほぼ同様な円形の外周面１６ａを備える。
【００２８】
地板１６の中心には、中心軸線Ｃに沿って、同心の各種胴部ないし軸部２１が貫通し、室１９内に突出した端部に夫々の指針１８が取付けられた各胴部２１は、室１７内において該胴部２１の周りの各種歯車により相互に結合されて全体として時計輪列２２をなしている。輪列２２を構成する各種歯車の多くは、地板１６と該地板１６に間隔をおいて取付けられた輪列受との間で、回転自在に支持されている。
【００２９】
中心軸線Ｃの周りに分布した輪列２２の近傍には、ステータ２４及びロータ２５を含むモータ２６がねじ９２，９３で地板１６に取付けられ、中心軸線Ｃに関してステータ２４の反対側には、ボタン型電池２７が配置されている。２６ａはコイルである。
【００３０】
また、中心軸線Ｃの延在方向Ｚに関して、モータ２６の背面側には、回路基板２８が載置され、ねじ９１で地板１６に固定されている。回路基板２８は、大型の各種部品の配設を許容すべく該大型部品の一部が嵌りこみ得る切欠部ないし開口部３１を有する。この開口部ないし切欠部３１としては、ボタン型電池２７の配設を許容する大きな半円形ないしほぼ円形の切欠部３１ａや、コイル２６aの配設を許容する開口部３１ｃに加えて、後述する受信アンテナ４０の配設を許容する大きな円弧状切欠部３１ｂを含む。
【００３１】
回路基板２８のうち裏ブタ５に対面する側には、水晶発振器３２やロータＩＣ３３等の回路部品が実装され、電池２７の下で、同様に電池２７によって給電されたモータ２６を駆動して、輪列２２を介して、指針１８を回す。
【００３２】
地板１６の外周縁部の近傍には、全体として円弧状のアンテナ構造体としての受信アンテナ４０が、樹脂製のアンテナ枠６０及び樹脂製のねじ６２により、装着・固定されている。
【００３３】
アンテナ４０は、図１や図２に加えて図３に示したように、軟磁性アモルファス合金からなる箔体（例えば、幅０．８ｍｍ程度，厚さ２０μｍ程度）として、長さの長いもの（例えば、長さ３０ｍｍ程度）４１と、長さの短いもの（例えば、長さ２０ｍｍ程度）４２とを、夫々、複数枚（例えば、夫々、２０枚程度）重ねてなる薄片４３，４４（夫々、厚さ０．４ｍｍ程度）を相互に重ね、長さの短い箔体４２からなる薄片４４が外周側に位置するように円弧状に湾曲した形状を有する磁芯部材４５を備える。短い薄片４４は、長い薄片４３の長さ方向の真中に配置され、長い薄片４３は、その両端部４６ａ，４６ｂ（区別しないとき又は総称するときは符号４６で表す）が同じ長さだけ短い薄片４４の両端部分４７ａ，４７ｂ（区別しないとき又は総称するときは符号４７で表す）から突出している。なお、ここで記載した厚さ及び積層枚数や幅や長さ等は、単なる一例であって、当然ながら、夫々、より大きくてもより小さくてもよい。なお、薄片４３，４４の厚さや箔体４１，４２の積層枚数は、この例では、同一であるけれども、異なっていてもよい。特に、三種類以上の長さの異なる箔体により、三種類以上の長さの異なる薄片を形成してもよい。また、典型的には、両側の端部４６ａ，４６ｂは、同一の寸法形状を有するけれども、レイアウトその他の配置環境や隣接部品の種類次第では、端部４６ａ，４６ｂの形状や長さが相互に異なっていてもよい。
【００３４】
磁芯部材４５の中央部分４８には、電気絶縁性フィルム４９を介して、ワイヤ５１が多数回巻回されてコイル５０が形成されている。
【００３５】
円弧状に湾曲した磁芯部材４５は、実際上、中心軸線Ｃを中心とした円弧をなす。従って、図２に示したように、磁芯部材４５のうち薄片４４の外周面５２とケース１０の室１７の周面１１との距離ないし間隔Ｌ１は、磁芯部材４５の全長にわたって、実質的に一定である。即ち、磁芯部材４５が円弧状に湾曲しているので、磁芯部材４５は、ケース１０に対して、所望レベルの受信を可能にするに要する最低限又はそれ以上の間隔Ｌ１を保ち、且つ該間隔Ｌ１を含めた占有スペースを最低限にするように、周面１１に近接した状態で、ケース１０内に配設され得る。この間隔は、数ｍｍ程度（例えば、２ｍｍ程度）である。但し、より大きくてもより小さくてもよい。
【００３６】
アンテナ４０の磁芯部材４５のうちコイル５０の両端から突出し露出した露出端部５３ａ，５３ｂ（区別しないとき又は総称するときは符号５３で表す）は、電波受信用端部を構成する。この端部５３は、前述の短い薄片４４の端部４７と、長い薄片４３の該端部４７に重なった部分及び突出部分４６とからなる。
【００３７】
図１の（ｃ）及び（ｄ）からわかるように、磁芯部材４５の各露出端部５３には、断面がＵ字状（図では逆Ｕ字状）の形状のアンテナ枠６０が被せられる。アンテナ枠６０のＵの脚部を構成する内周側及び外周側壁部６３，６４のうち外周側壁部６４は、図１の（ａ）からわかるように、磁芯部材４５の露出端部５３のうち短い薄片４４の端部４７よりも先端側のところで肉厚に拡がった厚肉部６５を備え、該厚肉部６５に貫通孔６６（図１の（ｄ）も参照）が形成されている。なお、この例では、厚肉部６５は、長さＬ１の間隙を利用する形態で半径方向外向きにも拡がって、ねじ止め領域を確保している。
【００３８】
貫通孔６６には、地板１６の背面側の凹部６７から挿入された樹脂製のねじピン６８が挿入され、該ねじピン６８の先端で開口したねじ穴６９にねじ６２が螺着されている。
【００３９】
従って、磁芯部材４５は、狭いスペースが活用された状態で、地板１６に固定されている。
【００４０】
なお、このアンテナ４０では、磁芯部材４５の露出端部５３が磁束が拡がり易い先端部分４６において薄片４４を欠いているので、露出端部５３の先端部分４６の外表面５４がケース１０の内周面から距離Ｌ２（＞Ｌ１）だけ離れて位置し得るから、ケース１０の存在によって、電波の受信が妨げられる虞れが低減され、電波の受信感度が高められ得る。また、端部５３の先端部分４６がケース１０の影響を受ける虞れが低いので、先端部分４６を長くしてより広い領域で電波の受信をすることが可能になるから、感度が高められ易い。更に、Ｌ２として所望の間隔を確保しつつＬ１を最低限にすることが可能になるから、アンテナ４０とケース１０との間の間隙を最低限にし得、間隙を含めた占有スペースを最低限に抑え得る。
【００４１】
なお、外表面５２は、積層された箔体４１の端縁からなる傾斜面５５を介して外表面５４につながり、外表面５４の端縁には、積層された箔体４２の端縁からなる傾斜面５６が形成されている。従って、外表面５２，５５，５４，５６が全体として、先端に近付く程内周側に位置するように非円弧状に延びる外周面をなす。
【００４２】
以上において、文字板１５が樹脂からなる場合には、裏ブタ５は非磁性金属でもよく、場合によっては、両方とも、非磁性金属材料でもよい。もちろん、両方とも樹脂でもよい。
【００４３】
また、ねじ６２及びねじピン６８の両方が樹脂からなる代わりに、例えば、ねじ６２が非磁性金属材料でできていてもよい。ここで、ねじ６２は、例えば、頭部の直径が１．５ｍｍ程度、軸部の直径が０．７ｍｍ程度である。但し、夫々、より大きくてもより小さくてもよい。
【００４４】
なお、電波時計１は、更に、受信電波の検波用ＩＣ７１や水晶発振器７２等からなる時刻信号の検出部７０を備え、アンテナ４０で受信した標準電波中の時刻情報を取出して、時刻調整制御部（図示せず）の制御下で、モータ２６の回転駆動を制御して、指針１８により表示される時刻を調整する。
【００４５】
電波時計１では、アンテナ４０の感度が高められ得るので、標準電波の比較的弱い地域や電波が弱くなり易い種類の建物の室内等でも、標準電波をより確実に受信して、指針の表示時刻の修正を行うことが可能になる。
【００４６】
以上の如く構成された受信アンテナ４０は、好ましくは、次のようにして、作製される。
【００４７】
すなわち、図５の（ａ）に作製方法ないし作製プロセスＰ１として示したように、まず、アモルファス材のシートを準備し（ステップＳ１）、このシートを短冊状に裁断して長い箔体４１及び短い箔体４２を形成し（ステップＳ２）、次に、夫々を積層して長い薄片４３及び短い薄片４４並びにその積層体（磁芯部材４５の素体）を形成し（ステップＳ３）、接着材を塗布し電気絶縁性フィルム４９を積層体４５の中央部分４８に被せ（ステップＳ４）、次に、ワイヤ５１をフィルム４９上に巻いてコイル５０を形成してアンテナ素体を形成し（ステップＳ５）、更に、このアンテナ素体に円弧状の曲げ加工を施し（ステップＳ６）、最後に、曲げた状態のまま被処理物に応じた所望温度に加熱してその温度領域に所望時間保った後緩やかに温度を下げることにより、焼鈍する（ステップＳ７）。
【００４８】
この焼鈍ステップＳ７は、一方では、接着材を硬化させることにより、磁芯部材４５を構成する多数の箔体４１，４２及びこれからなる薄片４３，４４を、一体的に結合させると共に円弧状に湾曲した形態で固定すると共に、円弧状に湾曲した磁芯部材に沿って円弧状に湾曲した状態でコイル５０を磁芯部材に対して実際上固定し、他方では、圧延・裁断処理の際に軟磁性アモルファス材に生じた歪により劣化した磁気特性を回復させる。すなわち、焼鈍処理Ｓ７は、磁芯部材４５及びコイル５０を円弧状に湾曲させてなるアンテナ４０の形状の固定・安定化と、磁芯部材４５を構成する軟磁性材の軟磁性特性の回復との両方を同時に達成する。
【００４９】
なお、所望ならば、接着材を塗布しながら箔体４１，４２を積層することによりステップＳ３，Ｓ４を実際上同時に行って、隣接する箔体４１，４１間や４１，４２間や４２，４２間に接着材が一様に介在するようにしてもよい。
【００５０】
また、この方法Ｐ１では、直線状のアンテナ素体を形成した後、これを湾曲させて円弧状アンテナを形成するので、コイル５０を構成するワイヤ５１が円弧の半径方向にほぼ一致する向きに比較的均等に巻回された状態が実現され得る。すなわち、仮に、予め円弧状に湾曲させてある磁芯部材にワイヤをコイル状に巻回しようとすると、円弧に沿うような一様な巻回は行われ難く、巻きムラのあるところで磁束の漏洩が生じ易くなってしまうのに対して、方法Ｐ１では、このような問題を最低限に抑え得る。
【００５１】
なお、以上において、コイル５０の部分にも熱硬化性接着材を塗布しておいて、焼鈍の際に、コイル５０のワイヤ５１も一体的に固めるようにしてもよい。
【００５２】
曲げ加工ステップＳ６は、典型的には、曲げ型内に、アンテナ素体を押込むことからなり、アンテナ素体を該曲げ型内に保持したまま焼鈍することにより、所望の硬化及び焼鈍処理が行われ得る。
【００５３】
なお、ステップＳ１において、アモルファス材のシートは、例えば、ロールを用いた液体急冷法で形成される。但し、他のどのような方法で作製されてもよく、可能ならば、圧延処理が利用されてもよい。
【００５４】
ここで、従来の直線的な棒状アンテナの製造手順（図５の（ｃ））Ｓａ１，Ｓａ２，Ｓａ３，Ｓａ４，Ｓａ５，Ｓａ６からなる棒状アンテナの作製方法ＰＡ１と比較すると、ステップＳ１〜Ｓ４までは、短冊状アモルファス箔の長さが二種類以上になっている点を除き、従来のステップＳａ１〜Ｓａ４と同一である。相違点は、従来の方法ＰＡ１は、焼鈍ステップＳａ５の後でワイヤを巻いていた（ステップＳａ６）のに対して、この実施例の方法Ｐ１では、ワイヤを巻くステップＳ５の後、焼鈍している（ステップＳ７）点、及びワイヤを巻くステップＳ５よりも後で且つ焼鈍ステップＳ７よりも前に、曲げ加工ステップＳ６を追加している点にある。
【００５５】
なお、積層体に電気絶縁性フィルム４９を巻く（被せる）代わりに、図４に示したように、電気絶縁性で熱収縮性の樹脂製チューブ５６を積層体４５に被せるようにしてもよい。
【００５６】
その場合、熱収縮性チューブ５６を短い箔体４２ないし短い薄片４４よりも長くしておくだけでなく例えば、図４に示したように、長い箔体４１ないし長い薄片４３と同程度又はそれより少し長くしておくことにより、湾曲状態の積層体からなる磁芯部材４５を、安定に一体化して保持することが可能になる。
【００５７】
このような熱収縮性チューブ５６を用いる場合、図５の（ｂ）に手順を表す作製方法Ｐ２として示したように、図５の（ａ）の接着材塗布ステップＳ４が、チューブ５６への挿入ステップＳ４ｍで代替される点を除いて、手順は、図５の（ａ）と同様である。但し、ステップＳ７の焼鈍ステップでは、この場合、接着材の硬化による磁芯部材４５の一体化の代わりに熱収縮性チューブ５６の熱収縮による磁芯部材４５の一体化が行われる点で異なる。この場合にも、コイル５０の部分にも熱硬化性接着材を塗布しておいて、焼鈍の際に、コイル５０のワイヤ５１も一体的に固めるようにしてもよい。
【００５８】
この図５の（ｂ）の手順ないし方法Ｐ２と、図５の（ｄ）に示した従来の手順Ｓａ１，Ｓａ２，Ｓａ３，Ｓａ４ｍ，Ｓａ５，Ｓａ６からなる棒状アンテナの作製方法ＰＡ２との差異は、前述の方法Ｐ１とＰＡ１との差異と同様である。但し、図５の（ｂ）の方法Ｐ２では、熱収縮性チューブ５６による保持力が、単なる直線状積層体の保持ではなくて、長さの異なる円弧状湾曲積層体４５の保持・一体化に効果的に利用され得ることになる点で異なる。
【図面の簡単な説明】
【００５９】
【図１−１】本発明による好ましい一実施例の電波時計を説明するための図で、（ａ）は（ｂ）の電波時計において裏ブタを省いた状態の平面説明図。
【図１−２】（ｂ）は（ａ）のＩＢ−ＩＢ線断面説明図。
【図１−３】（ｃ）は（ａ）のＩＣ−ＩＣ線断面説明図、（ｄ）は（ａ）のＩＤ−ＩＤ線断面説明図。
【図２】図１の時計にアンテナが配置された状態を、アンテナのケースに対する関係で示した平面説明図。
【図３】磁芯部材を厚さ方向誇張・拡大して示したもので、（ａ）は平面説明図、（ｂ）は（ａ）のＩＩＩＢ−ＩＩＩＢ線断面説明図、（ｃ）は（ａ）の長手方向（円弧）ＩＩＩＣ−ＩＩＩＣ線断面説明図。
【図４】変形例の磁芯部材の平面説明図。
【図５−１】磁芯部材の作製方法（手順）を示したもので、（ａ）は図１〜図３の磁芯部材の作製手順の流れ図、（ｂ）は図４の磁芯部材の作製手順の流れ図。
【図５−２】（ｃ）は従来の磁芯部材について（ａ）と同様な手順で示した対比用の流れ図、（ｄ）は従来の別の磁芯部材について（ｂ）と同様な手順で示した対比用の流れ図。
【符号の説明】
【００６０】
１  電波時計（電波修正時計）
４  ガラス
５  裏ブタ
１０  ケース
１１  周面
１５  文字板
１６  地板
１７  室
１８  指針
２１  胴部（軸部）
２２  輪列
２６  モータ
２６ａ  コイル
２７  ボタン型電池
２８  回路基板
３１  切欠部（開口部）
３１ａ，３１ｃ  切欠部
３１ｂ  開口部
４０  受信アンテナ
４１  長い箔体
４２  短い箔体
４３  長い薄片
４４  短い薄片
４５  磁芯部材（コア）
４６，４６ａ，４６ｂ  端部
４７，４７ａ，４７ｂ  端部分
４８  （長手方向の）中央部分
４９  電気絶縁性フィルム
５０  コイル
５２，５４，５５，５６  外表面（外周面）
５３，５３ａ，５３ｂ  露出端部（耳部）
６０  アンテナ枠
６２  ねじ
６３  内周側側壁部
６４  外周側側壁部
６５  
６６  貫通孔
６７  
６８  ねじピン
６９  ねじ穴
７０  時刻信号検出部
７１  検波用ＩＣ
７２  水晶発振器
Ｐ１，Ｐ２  作製方法
Ｓ１，Ｓ２，Ｓ３，Ｓ４，Ｓ４ｍ，Ｓ５，Ｓ６，Ｓ７  処理ステップ（作製工程）
【図１−１】
2006214770.tif 000003
【図１−２】
2006214770.tif 000004
【図１−３】
2006214770.tif 000005
【図２】
2006214770.tif 000006
【図３】
2006214770.tif 000007
【図４】
2006214770.tif 000008
【図５−１】
2006214770.tif 000009
【図５−２】
2006214770.tif 000010